(57)【要約】【課題】アドレスの設定変更をより容易に実行することが可能な印刷装置を提供する。【解決手段】プリンタ（印刷装置）１は、ネットワークに設けられたルータへの通信を試行して当該通信の成否を確認する接続確認部１１と、当該通信が不成功であることが確認される場合には、印刷装置１に関するアドレスの設定画面を表示部に表示する表示制御部１２と、設定画面による設定内容に基づいてアドレスを設定する設定制御部１３とを備える。【選択図】図２
2009089296.tif 000002
【特許請求の範囲】
【請求項１】
ネットワークに接続可能な印刷装置であって、
ネットワークに設けられたルータとの通信を試行して当該通信の成否を確認する確認手段と、
前記通信が不成功であることが確認される場合には、前記印刷装置に関するアドレスの設定画面を表示部に表示する表示制御手段と、
前記設定画面による設定内容に基づいて前記アドレスを設定する設定制御手段と、
を備えることを特徴とする印刷装置。
【請求項２】
請求項１に記載の印刷装置において、
前記印刷装置の前記アドレスは、静的アドレス割当方式において設定される固定ＩＰアドレスを含むことを特徴とする印刷装置。
【請求項３】
請求項１に記載の印刷装置において、
前記確認手段は、前記設定画面の表示期間が所定値を超えると、前記通信の成否を再確認し、
前記表示制御手段は、
前記設定画面の表示中に前記通信の不成功が確認された場合には、前記設定画面の表示を継続し、
前記設定画面の表示中に前記通信の成功が確認された場合には、前記設定画面の表示を中止することを特徴とする印刷装置。
【請求項４】
請求項１に記載の印刷装置において、
前記確認手段は、前記印刷装置のＩＰアドレスが、前記ＩＰアドレスと同一のサブネットワーク内の他の装置に対して重複して割り当てられているか否か、を判定し、
前記表示制御手段は、前記ＩＰアドレスが重複して割り当てられていると判定される場合にも、前記設定画面を表示することを特徴とする印刷装置。
【発明の詳細な説明】
【技術分野】
【０００１】
本発明は、印刷装置、特にネットワーク接続可能な印刷装置に関する。
【背景技術】
【０００２】
ネットワーク接続可能なプリンタ、すなわちネットワークプリンタにおいては、当該プリンタにＩＰアドレスを設定して、ネットワーク通信が行われる。
【０００３】
このようなＩＰアドレスの設定方式としては、静的アドレス割当方式（固定アドレス割当方式）と動的アドレス割当方式とが存在する。
【０００４】
動的アドレス割当方式は、ユーザがＩＰアドレスを明示的に割り当てる必要が無いため、利便性が高い（特許文献１等参照）。
【０００５】
しかしながら、ユーザがＩＰアドレスを明示的に割り当てることが好ましい場合も存在する。このような場合等においては、静的アドレス割当方式が利用される。
【０００６】
なお、静的アドレス割当方式においては、プリンタの操作部等を用いてＩＰアドレスを設定する操作がユーザによって行われる。
【０００７】
【特許文献１】特開２００６−１２８８７４号公報
【発明の開示】
【発明が解決しようとする課題】
【０００８】
ところで、例えば社内の模様替え等に伴って、プリンタの配置場所が変更されることがある。
【０００９】
上述のような静的アドレス割当方式が採用される場合において、プリンタが大きく移動されるときには、移動前のＩＰアドレスをそのまま利用することができずＩＰアドレスの設定変更操作を行う必要があることが多い。
【００１０】
しかしながら、このようなＩＰアドレスの設定変更操作は、通常、非常に煩雑である。例えば、小さな液晶表示部がプリンタの上面手前側等に設けられており、当該液晶表示部に表示される設定画面等を用いて、当該設定変更操作が行われる。
【００１１】
詳細には、最初のメニュー画面から幾つかの階層のメニュー画面を当該液晶表示部に順次に表示することによって、ようやく所望のＩＰアドレスの設定画面にたどり着くことができる。例えば、最初のメニュー画面で「システム設定」を選択し、次のメニュー画面で「ネットワーク」を選択し、さらに次のメニュー画面で「ＴＣＰ／ＩＰ」を選択し、そしてさらに次のメニュー画面で「ＩＰアドレス」を選択することによって、ようやくＩＰアドレスの設定画面をプリンタの表示部に表示させることができる。
【００１２】
このような操作は、プリンタのユーザにとって非常に煩わしいものである。また、マニュアル等を参照することなく試行錯誤的に「ＩＰアドレス」の設定画面等を探していく場合には、さらに多くのキー操作が必要になるため、特に煩雑になる。
【００１３】
そこで、この発明の課題は、アドレスの設定変更をより容易に実行することが可能な印刷装置を提供することにある。
【課題を解決するための手段】
【００１４】
上記課題を解決すべく、請求項１の発明は、ネットワークに接続可能な印刷装置であって、ネットワークに設けられたルータとの通信を試行して当該通信の成否を確認する確認手段と、前記通信が不成功であることが確認される場合には、前記印刷装置に関するアドレスの設定画面を表示部に表示する表示制御手段と、前記設定画面による設定内容に基づいて前記アドレスを設定する設定制御手段とを備えることを特徴とする。
【００１５】
請求項２の発明は、請求項１の発明に係る印刷装置において、前記印刷装置の前記アドレスは、静的アドレス割当方式において設定される固定ＩＰアドレスを含むことを特徴とする。
【００１６】
請求項３の発明は、請求項１の発明に係る印刷装置において、前記確認手段は、前記設定画面の表示期間が所定値を超えると、前記通信の成否を再確認し、前記表示制御手段は、前記設定画面の表示中に前記通信の不成功が確認された場合には、前記設定画面の表示を継続し、前記設定画面の表示中に前記通信の成功が確認された場合には、前記設定画面の表示を中止することを特徴とする。
【００１７】
請求項４の発明は、請求項１の発明に係る印刷装置において、前記確認手段は、設定されている前記印刷装置のＩＰアドレスが、前記ＩＰアドレスと同一のサブネットワーク内の他の装置に対して、重複して割り当てられているか否か、を判定し、前記表示制御手段は、前記ＩＰアドレスが重複して割り当てられていると判定される場合にも、前記設定画面を表示することを特徴とする。
【発明の効果】
【００１８】
請求項１ないし請求項４に記載の発明によれば、ルータとの通信が不成功であることが確認される場合には、印刷装置に関するアドレスの設定画面が表示部に表示されるので、アドレスの設定変更を容易に実行することが可能である。
【００１９】
特に、請求項３に記載の発明によれば、設定画面の表示期間が所定値を超えると、ルータとの通信の成否が再確認されるので、ネットワークの復旧が自動的に検出される。また、設定画面の表示中に通信の成功が確認された場合には設定画面の表示が中止されるので、ネットワーク復旧時には設定画面の表示を自動的に中止することができる。
【００２０】
また特に、請求項４に記載の発明によれば、印刷装置のＩＰアドレスが重複して割り当てられていると判定される場合にも設定画面が表示されるので、アドレスの設定操作を容易に行うことが可能である。
【発明を実施するための最良の形態】
【００２１】
以下、本発明の実施形態を図面に基づいて説明する。
【００２２】
＜１．構成＞
図１は、印刷システム１００の構成を示す概略図である。
【００２３】
図１に示すように、印刷システム１００は、ネットワークに接続可能なプリンタ（印刷出力装置ないし印刷装置とも称する）１を備えている。また、プリンタ１は、ネットワークＮＷを介して複数のコンピュータ９０等に接続されており、当該コンピュータ９０からの印刷出力指令（単に印刷指令とも称する）を受け付け、当該印刷指令に基づいて印刷出力動作を実行する。なお、ネットワークＮＷは、ＬＡＮ（Local Area Network）およびインターネットなどの各種のネットワークを含み得る。
【００２４】
図１では、社内等において、ネットワークＮＷの一部としてサブネットワークＮＡとサブネットワークＮＢとがルータ２０を介して存在する状況が示されている。ネットワークＮＷ内に設けられたルータ２０は、２つのサブネットワークＮＡ，ＮＢを相互に接続する役割、およびこれらのサブネットワークＮＡ，ＮＢと別のネットワークを相互に接続する役割等を担っている。
【００２５】
各サブネットワークＮＡ，ＮＢには、それぞれ、１つ又は複数のコンピュータ９０と、１つ又は複数のプリンタ１と、その他の通信機器（不図示）が接続されている。詳細には、ネットワークＮＡには、プリンタ１Ａ，１Ｂおよびコンピュータ９０Ａ，９０Ｂを含む各種の装置が接続されており、ネットワークＮＢには、プリンタ１Ｃ，１Ｄおよびコンピュータ９０Ｃを含む各種の装置が接続されている。
【００２６】
図２は、プリンタ１の構成を示す機能ブロック図である。図２を参照しながら、プリンタ１の構成について説明する。
【００２７】
図２に示すように、プリンタ１は、印刷出力部３と、通信部４と、格納部５と、入出力部６と、コントローラ９とを備えている。
【００２８】
印刷出力部３は、対象画像に関する画像データに基づいて紙などの各種の媒体に画像を印刷出力する出力部である。
【００２９】
通信部４は、通信ネットワークＮＷを介したネットワーク通信を行う処理部である。このネットワーク通信を利用することによって、プリンタ１は、所望の相手先との間でＴＣＰ／ＩＰ等の各種のプロトコルを利用して通信し、各種のデータを授受することが可能である。
【００３０】
格納部５は、半導体メモリ（ＲＡＭ，ＲＯＭ）等で構成される。この格納部５には、各通信先から送信されてきた印刷データ等が一時的に格納される。また、格納部５には、プリンタ１に関する各種の設定内容も記憶される。
【００３１】
入出力部６は、プリンタ１に対する入力を受け付ける操作入力部６１と、各種情報の表示出力を行う表示部６２とを備えている。詳細には、操作入力部６１は、数個のキー等を備えて構成される。また、表示部６２は、比較的小さな表示部であり、数行（例えば２行〜５行程度）の文字表示等が可能な液晶表示パネルを備えて構成される。
【００３２】
コントローラ９は、プリンタ１を統括的に制御する制御装置であり、ＣＰＵ等を備えて構成される。コントローラ９の制御下において各種の処理部が動作することによって、プリンタ１の各種の機能が実現される。例えば、コントローラ９の制御下において印刷出力部が動作することによって、印刷用紙上に画像データが形成される。また、コントローラ９は、次述するようなネットワークに関する設定動作等をも制御する。
【００３３】
コントローラ９は、ＣＰＵにおいて、格納部５のＲＯＭ（例えば、ＥＥＰＲＯＭ等）内に格納されている所定のソフトウエアプログラム（以下、単にプログラムとも称する）を実行することによって、各種の処理部を実現する。
【００３４】
具体的には、コントローラ９は、接続確認部１１と、表示制御部１２と、設定制御部１３とを含む各種の処理部を実現する。
【００３５】
接続確認部１１は、通信部４等と協働して、ネットワークＮＷに設けられたルータ２０への通信を試行し、当該通信の成否（換言すればネットワーク接続の成否）を確認する。また、接続確認部１１は、ＩＰアドレスの重複確認動作等をも制御する。
【００３６】
表示制御部１２は、表示部６２における表示動作を制御する処理部である。表示制御部１２は、例えば、プリンタ１とルータ２０との通信が不可能（換言すれば、ルータ２０との通信が不成功）であることが確認される場合には、プリンタ１に関するアドレスの設定画面Ｇ１〜Ｇ３（図６〜図１０参照）等をプリンタ１の表示部６２に表示する動作を制御する。
【００３７】
設定制御部１３は、プリンタ１に関する各種の設定動作を制御する処理部である。設定制御部１３は、例えば、設定画面Ｇ１〜Ｇ３による設定内容に基づいてアドレスを設定（登録）する動作を制御する。
【００３８】
つぎに、印刷システム１００における動作について説明する。
【００３９】
＜２．動作＞
ここでは、図３に示すように、サブネットワークＮＡに接続されていたプリンタ１Ａが、大きく移動する場合を想定する。また、この移動に伴って、プリンタ１Ａが所属するサブネットワークは、サブネットワークＮＡからサブネットワークＮＢへと変更されるものとする。
【００４０】
さて、静的アドレス割当方式を利用する場合、移動前に設定されていた固定ＩＰアドレスを移動後においてもそのまま使用することはできない。したがって、固定ＩＰアドレスの設定変更を行う必要がある。
【００４１】
しかしながら、上述したように、一般に、アドレスの設定変更は、非常に煩雑な操作を伴うことが多い。
【００４２】
そこで、この実施形態においては、アドレスの設定変更を容易に行うことが可能な技術を例示する。このような技術によれば、プリンタ１Ａのユーザ（管理者ないし操作者等）は、後述するように、表示部６２に自動的に表示される設定画面Ｇ１〜Ｇ３（図６〜図１０参照）を用いて、アドレスの設定変更操作を容易に実行することが可能である。
【００４３】
なお、ここでは、サブネットワークＮＡは、「１９２．１６８．１０．０／２４」のネットワークであり、サブネットワークＮＢは、「１９２．１６８．２０．０／２４」のネットワークである場合を例示する。プリンタ１Ａの移動前においては、プリンタ１Ａにおいてネットワークに関する設定項目について、例えば、次のような内容が設定されているものとする。具体的には、「ＩＰアドレス」が「１９２．１６８．１０．２」（図１参照）に設定されており、「サブネットマスク」が「２５５．２５５．２５５．０」に設定されており、「ゲートウエイアドレス」が「１９２．１６８．１０．１」に設定されているものとする。またアドレス「１９２．１６８．１０．１」は、サブネットワークＮＡのゲートウエイアドレスであり、サブネットワークＮＢのゲートウエイアドレスは、「１９２．１６８．２０．１」であるものとする。これらのゲートウエイアドレスは、ルータ２０において設定されている。
【００４４】
まず、プリンタ１Ａのユーザは、プリンタ１Ａを新たな設置場所に設置するとともに、プリンタ１Ａのネットワークケーブル等の配線を、サブネットワークＮＢ内の所定のコネクタ等に物理的に接続した後に、プリンタ１の電源スイッチを操作してプリンタ１の電源をオン状態にする。
【００４５】
図４および図５は、プリンタ１の電源オン直後にコントローラ９によって実行されるチェックルーチンを示すフローチャートである。なお、このチェックルーチンの実行後においては、通常起動時における初期画面（ステータス表示画面あるいはメニュー画面等）がプリンタ１Ａの表示部６２に表示される。
【００４６】
図４のステップＳ１１においては、ＩＰアドレスの設定方式が静的アドレス割当方式であるか動的アドレス割当方式であるかが判定される。なお、静的アドレス割当方式は、明示的に固定ＩＰアドレスが割り当てられる方式であり、一方、動的アドレス割当方式は、ＤＨＣＰ（Dynamic Host Configuration Protocol）方式のようにＤＨＣＰサーバなどを用いて自動的にアドレスを割り当てる方式である。
【００４７】
動的アドレス割当方式が設定されているときには、本チェックルーチンは直ちに終了する。一方、静的アドレス割当方式が設定されているときには、ステップＳ１２に進む。
【００４８】
ステップＳ１２においては、プリンタ１Ａは、プリンタ１Ａに設定されているアドレス情報に基づいて、ルータ２０との通信を試行する。
【００４９】
例えば、プリンタ１Ａは、当該プリンタ１Ａに設定されているゲートウエイアドレスＧＡ（「１９２．１６８．１０．１」）を用いて、ルータとの通信を試行する。このゲートウエイアドレスＧＡ（「１９２．１６８．１０．１」）は、ルータ２０のサブネットワークＮＡに関するゲートウエイアドレスである。
【００５０】
プリンタ１Ａの移動前であれば、当該ゲートウエイアドレスＧＡを用いることによりプリンタ１Ａと当該ルータ２０との通信は成功する。この場合には、ステップＳ１３からステップＳ１４に進む。ステップＳ１４においては、後述するように、同一サブネットワーク内の通信装置との通信が試行され、ＩＰアドレスの重複の有無が確認される。そして、プリンタ１Ａと同一サブネットワークＮＡ内の他の通信装置（プリンタ１Ｂ，コンピュータ９０Ａ，９０Ｂ，...）との間におけるＩＰアドレスの重複が存在しないと判定（ステップＳ１５）される場合には、アドレスの設定内容が正しいことが確認され、ステップＳ１６の終了処理を経て本ルーチンが終了する。
【００５１】
これに対して、図３に示すような移動が行われた後、換言すれば、論理的にルータ２０を超える位置にプリンタ１Ａが移動された後においては、次述するように、ゲートウエイアドレスおよびＩＰアドレスは正しくないものになる。そのため、プリンタ１Ａと当該ルータ２０との通信は不成功に終わる（すなわち失敗する）。
【００５２】
図３に示すように、プリンタ１Ａは、当該移動後において、サブネットワークＮＡ内ではなくサブネットワークＮＢ内に存在する。そのため、プリンタ１Ａは、ルータ２０のゲートウエイアドレス、すなわち当該サブネットワークＮＢに対応するゲートウエイアドレス「１９２．１６８．２０．１」を指定して当該ルータ２０との通信を実行しなければ、当該通信は失敗する。例えば、プリンタ１Ａが、設定変更前のプリンタ１Ａのゲートウエイアドレス「１９２．１６８．１０．１」に基づいてルータ２０にアクセスしようとしても、プリンタ１Ａとルータ２０との通信は失敗することになる。
【００５３】
ルータ２０との通信が失敗した（すなわち不成功であった）ことが確認される場合には、ステップＳ１３からステップＳ２１（図５）に進む。
【００５４】
ステップＳ２１においては、３種類のアドレス（具体的には、固定ＩＰアドレス、サブネットマスクおよびゲートウエイアドレス）の設定画面Ｇ１〜Ｇ３が順次に表示され、当該３種類のアドレスが順次に設定される。
【００５５】
具体的には、まず、図６に示すようなＩＰアドレス（固定ＩＰアドレス）の設定画面Ｇ１がプリンタ１Ａの表示部６２に表示される。すなわち、プリンタ１Ａとルータ２０との通信が不成功であることが確認されたことに応じて、設定画面Ｇ１が自動的に表示部６２に表示される。
【００５６】
ユーザは、この設定画面Ｇ１を用いて、プリンタ１Ａの新たなＩＰアドレス（固定ＩＰアドレス）、例えば、図７に示すように、「１９２．１６８．２０．８」を、操作入力部６１のキー（例えば数字キーあるいはカーソルキー等）を用いて入力する。そして、最後に操作入力部６１の決定ボタン（不図示）を押下することによって、入力内容が確定され、ＩＰアドレス入力が完了する。
【００５７】
次に、図８に示すようなサブネットマスクの設定画面Ｇ２がプリンタ１Ａの表示部６２に表示される。ここでは、変更を伴わずに操作入力部６１の決定ボタンを押下して、入力内容を以前の値のまま確定する。なお、変更の必要があれば、新たな値を入力すればよい。
【００５８】
さらに、図９に示すようなゲートウエイアドレスの設定画面Ｇ３がプリンタ１Ａの表示部６２に表示される。
【００５９】
ユーザは、この設定画面Ｇ３を用いて、プリンタ１Ａに関する新たなゲートウエイアドレスとして、例えば、図１０に示すように、「１９２．１６８．２０．１」を、操作入力部６１のキーを用いて入力する。そして、最後に操作入力部６１の決定ボタンを押下することによって、入力内容が確定され、新たなゲートウエイアドレスの入力が完了する。
【００６０】
その後、ステップＳ２３において各種アドレス入力が完了した旨が判定されると、ステップＳ２４において、入力されたアドレス情報が、プリンタ１Ａのアドレスに関する新たな登録内容として登録される。
【００６１】
このような動作によれば、上述のような複数の階層のメニュー画面を辿っていく煩雑な操作を伴うことなく、所望の設定画面Ｇ１〜Ｇ３が自動的に表示部６２に表示される。そのため、当該設定画面Ｇ１〜Ｇ３を用いたアドレスの設定操作を容易に実現することができる。
【００６２】
また、この実施形態においては、アドレスの登録作業が終了すると、再登録されたアドレスが正しいものであることを確認するため、ステップＳ２４からステップＳ１２に戻り、再び同様の動作が繰り返される。具体的には、更新後（登録後）のゲートウエイアドレスに基づいてルータ２０との通信が試行され、当該ルータ２０との通信の成否が確認される。
【００６３】
再登録後のアドレスが正しいものではなく、プリンタ１Ａとルータ２０との通信が未だ成功しない場合には、ステップＳ１２からステップＳ２１へと再び進み、同様の再登録動作が実行される。
【００６４】
一方、再登録後のアドレス（詳細にはＩＰアドレス、サブネットマスクおよびゲートウエイアドレス）が正しい場合に当該通信が成功すると、ステップＳ１３からステップＳ１４へと移行する。そして、ステップＳ１４では、同一サブネットワーク内の他の通信装置との通信が行われ、プリンタ１Ａに現在設定されているＩＰアドレスが、同一のサブネットワーク内の他の装置に対して、重複して割り当てられていないか否か、が判定される。
【００６５】
そして、移動後のプリンタ１Ａと同一サブネットワークＮＢ内の他の通信装置（プリンタ１Ｃ，１Ｄ，コンピュータ９０Ｃ，...）との通信によって、ＩＰアドレスの重複登録がなされていないことが確認される（ステップＳ１５）ときには、ステップＳ１６の終了処理を経て、本ルーチンが終了する。
【００６６】
一方、登録後の新ＩＰアドレスが他の装置における既登録のＩＰアドレスと重複していると判定される場合には、ステップＳ２１に移行する。そして、ステップＳ２１以降において、設定画面Ｇ１〜Ｇ３が表示部６２に順次に表示され、当該設定画面Ｇ１〜Ｇ３を用いたアドレスの入力動作等が再度実行される。
【００６７】
このように、サブネットワークＮＢに接続された他の装置に対してプリンタ１ＡのＩＰアドレスが重複して割り当てられていないか否かが判定され、当該重複が存在すると判定される場合にも、設定画面Ｇ１が自動的に表示部６２に再表示される。したがって、アドレスの再設定操作を容易に行うことが可能である。
【００６８】
ところで、何らかの事情で一時的に不通になっていたネットワーク通信が、上述のようなアドレス設定操作中に突如復旧することもある。
【００６９】
そこで、この実施形態では、このようなネットワーク通信の復旧を検出できるように、設定画面Ｇ１の入力中に所定時間間隔で、ルータ２０との通信を再試行するものとする。具体的には、ステップＳ２１〜Ｓ２３のループを実行し、当該ループの実行中において、設定画面Ｇ１が表示部６２に表示されている期間（継続表示期間）が設定時間Ｔ１よりも長くなった場合には、ステップＳ２１〜Ｓ２３のループ中のステップＳ２２においてその旨が判定され、ステップＳ１２に移行する。すなわち、設定画面Ｇ１の表示期間が設定時間（所定値）Ｔ１を超えると、通信の成否がステップＳ１２で再確認される。なお、設定時間Ｔ１としては、例えば数分程度が設定されればよい。
【００７０】
そして、ステップＳ１２においてルータ２０との通信が可能であることが確認されると、ステップＳ１３からステップＳ１４に進む。さらに同一サブネットワーク内でのアドレスが重複していないことが確認される（ステップＳ１５）と、ステップＳ１６に進む。ステップＳ１６では、表示部６２の表示内容がクリアされ、本ルーチンが終了する。換言すれば、設定画面Ｇ１の表示中において、プリンタ１Ａとルータ２０との通信の成功、およびプリンタ１Ａと同一サブネットワーク内の他の通信機器とのＩＰアドレスの非重複が確認された場合には、設定画面Ｇ１の表示が中止される。その後、通常起動時における初期画面（ステータス表示画面あるいはメニュー画面等）がプリンタ１Ａの表示部６２に表示される。
【００７１】
一方、プリンタ１Ａとルータ２０との通信の不成功（失敗）、あるいは、プリンタ１Ａと同一サブネットワーク内の他の通信装置との間におけるＩＰアドレスの重複が確認されると、再びステップＳ２１に進む。すなわち、設定画面Ｇ１の表示中において、通信設定の不具合が確認される場合には、設定画面Ｇ１の表示が継続される。
【００７２】
このような動作によれば、設定画面Ｇ１の表示期間が所定値Ｔ１を超えると、ルータ２０との通信の成否が再確認されるので、ネットワークの復旧が自動的に検出される。また、設定画面Ｇ１の表示中に通信の成功が確認された場合には設定画面Ｇ１の表示が中止されるので、ネットワーク復旧時には設定画面Ｇ１の表示を自動的に中止することができる。
【００７３】
なお、この実施形態においては、設定画面Ｇ１の表示中であることをも条件に、ステップＳ２２からステップＳ１２に戻っている。すなわち、上述のようなネットワーク通信の復旧検出動作は、設定画面Ｇ２，Ｇ３の表示中には行われない。ただし、これに限定されず、設定画面Ｇ２，Ｇ３の表示中にも、上述のようなネットワーク通信の復旧検出動作を行うようにしてもよい。
【００７４】
＜３．その他＞
以上、この発明の実施の形態について説明したが、この発明は上記説明した内容のものに限定されるものではない。
【００７５】
たとえば、上記実施形態においては、ステップＳ１４において同一サブネットワーク内の他の通信装置との通信を実行し、ＩＰアドレスの重複の有無を確認する場合を例示しているが、これに限定されず、ステップＳ１３から、（ステップＳ１４，Ｓ１５を経ることなく、）そのままステップＳ１６に進むようにしてもよい。
【００７６】
あるいは、上記実施形態においては、ステップＳ２１〜Ｓ２３におけるアドレス情報の入力が終了した後に、再びステップＳ１２に戻って通信の成否を確認しているが、これに限定されない。例えば、ステップＳ２１〜Ｓ２３でアドレス情報の入力が終了した後には、通信の成否の再確認を行うことなく、ステップＳ１６に進むようにしてもよい。
【００７７】
また、上記実施形態においては、印刷装置として、プリンタを例示したが、これに限定されず、例えばマルチ・ファンクション・ペリフェラル（Multi Function Peripheral）（ＭＦＰとも略称する）に上記の思想を適用するようにしてもよい。なお、ＭＦＰは、スキャナ機能、プリンタ機能、コピー機能およびファクシミリ通信機能などを備える装置（複合機とも称する）である。
【図面の簡単な説明】
【００７８】
【図１】印刷システムの構成を示す概略図である。
【図２】プリンタの構成を示す機能ブロック図である。
【図３】プリンタ移動後の印刷システムの構成を示す概略図である。
【図４】プリンタの電源オン直後の動作を示すフローチャートである。
【図５】プリンタの電源オン直後の動作を示すフローチャートである。
【図６】ＩＰアドレスの設定画面を示す図である。
【図７】ＩＰアドレスの設定画面を示す図である。
【図８】サブネットマスクの設定画面を示す図である。
【図９】ゲートウエイアドレスの設定画面を示す図である。
【図１０】ゲートウエイアドレスの設定画面を示す図である。
【符号の説明】
【００７９】
１，１Ａ〜１Ｄ  プリンタ
２０  ルータ
６１  操作入力部
６２  表示部
９０，９０Ａ〜９０Ｃ  コンピュータ
１００  印刷システム
Ｇ１〜Ｇ３  設定画面
ＧＡ  ゲートウエイアドレス
ＮＡ，ＮＢ  サブネットワーク
ＮＷ  通信ネットワーク
【図１】
2009089296.tif 000003
【図２】
2009089296.tif 000004
【図３】
2009089296.tif 000005
【図４】
2009089296.tif 000006
【図５】
2009089296.tif 000007
【図６】
2009089296.tif 000008
【図７】
2009089296.tif 000009
【図８】
2009089296.tif 000010
【図９】
2009089296.tif 000011
【図１０】
2009089296.tif 000012